(57)【要約】 【課題】  使い捨て便座シートにおいて、携帯が可能であり、より簡便に、かつ、より衛生的に使用することができるものを提供する。【解決手段】水中で離解または溶解するシート材からなり、矩形状の本体（10）と、この中央部に設けられた楕円状の穴（12）と、楕円状の穴（12）に左右方向に掛け渡されて、本体（10）の左右部分間を連結する少なくとも一つのブリッジ部（13）とからなる。矩形状の本体（10）は、左右方向寸法（ａ）が奥行き方向寸法（ｂ）よりも大きく、便座（５）に載せたとき、便座（５）の左右の縁から取っ手（11）（11ａ）が突き出す。【選択図】図２
0003115806.tif 000002
【実用新案登録請求の範囲】
【請求項１】
水中で離解または溶解するシート材からなり、矩形状の本体（10）と、この中央部に設けられた楕円状の穴（12）と、楕円状の穴（12）に左右方向に掛け渡されて、本体（10）の左右部分間を連結する少なくとも一つのブリッジ部（13）とからなり、
矩形状の本体（10）は、左右方向寸法（ａ）が奥行き方向寸法（ｂ）よりも大きく、便座（５）に載せたとき、便座（５）の左右の縁から取っ手（11）（11ａ）が突き出すことを特徴とする携帯用使い捨て便座シート。
【請求項２】
本体（10）の裏面にて、上記穴（12）を左右から挟む箇所に、左右対称に、粘着剤コーテイング部（14）を設けたことを特徴とする請求項１の携帯用使い捨て便座シート。
【請求項３】
ブリッジ部（13）の中央部に破断線が形成されていることを特徴とする請求項１または２の携帯用使い捨て便座シート。
【請求項４】
請求項１〜３のいずれかの携帯用使い捨て便座シートを、折り畳んでプラスチックフィルムの包装内に収納したことを特徴とする携帯用使い捨て便座シート包装体。
【考案の詳細な説明】
【技術分野】
【０００１】
本考案は携帯用の使い捨て便座シートに関する。すなわち、ポケットまたはハンドバックなどの中に入れて携帯し、用を足す場合に座便器の座部（シート(seat)部、便座）の上に簡便に広げて置いて用いることのできる使い捨て（１回用の衛生）便座シート(sheet)に関する。本考案の携帯用の使い捨て便座シートは、携帯できるという利点を有すると共に、従来の使い捨て便座シートに比べて、使用の際に、より便利で、より衛生的である。
【背景技術】
【０００２】
個人専用の便器を用意して一人だけで使用する場合を除き、通常、１個の座便器を複数の人が用いるしかないのであるが、これは衛生上の問題を引き起こす。すなわち、先に使用した人が便座（５）に汚物やその他の汚染物質を付着させてしまうことが多々あることから、次の人が座便器を使用する際にたいへん非衛生的であり不快な気分にさせてしまうという問題があった。このような場合、衛生紙（トイレットペーパー、ティシューペーパーなど）や新聞紙で便座（５）に付着した汚物その他の汚染物質を拭き取ってから使用するか、または、拭き取った後に、さらに便座（５）の上に衛生紙や新聞紙を載せて使用する例が多かった。このような方法は、たいへん不便で不快であるだけでなく、非衛生的であると言うことができ、衛生紙の消耗が甚だしく増えるために非経済的であるという問題も引き起こす。
【０００３】
このような問題を解消するために、底面に粘着剤がコーテイングングされた数十枚の使い捨て便座シート（紙またはフィルム）を、便座（５）の上に付着させておき、使用の度に１枚ずつ引き離して使用することのできるものが考案されている。ところが、この製品は、清掃時に水や洗浄剤が付着するので使用に不便である。また、小便や大便が付着して複数枚のシートが汚染されることもあり得るので非衛生的であるという問題がある他、持ち去られるなどして紛失される可能性が高いという欠点がある。さらには、生産単価が多少高く、製作技術も複雑であるため、今まで広く普及していないのが実情である。
【０００４】
そこで、トイレの壁に四角形の箱を固定し、図４または図４ａのように形成された使い捨て便座シートを半折にした形で数十枚ずつ束にして積んで置き、１枚ずつ引き出して使用できるようにした製品が登場した。この製品は、携帯用でなく便所に備え付けて使用できるようにものであるため、本件考案とは、案出の目的が異なることに留意されたい。
【０００５】
まず、図４のような従来の使い捨て便座シートを見てみることにする。この使い捨て便座シートは、紙のシートからなり、後方の一部分だけを除いて中央に楕円形の穴の形をなすような破断線（ミシン目）（31）を設けたものであり、中央部（32）をちぎり取れるようにしている。これを使用するには、まず、折り畳まれたシートを広げた後、両手を使って破断線（31）に沿って引き裂き、中央部（32）を除去してから本体（30）を座便器の便座の上に載せる。中央部（32）を本体（30）から完全に除去せずに、破断線（31）の箇所だけを引き裂いた状態で使用することも可能であるが、その場合には中央部（32）が本体（30）に付いたままで便器内へと垂れ下がってしまう。
【０００６】
一方、図４ａのものも、紙のシートからなり、図４と同じ形態を有する本体（40）からなり、中央に楕円形の穴をなすようになっている。但し、破断線を設けるのに代えて、予め切断してしまっている。そのため、使い捨て便座シートを一枚引き出して便座の上に広げたならば、中央部（42）が本体（40）に付いたまま便器内へと垂れ下がることになる。
【０００７】
これら使い捨て便座シートは、いずれも、紙のシートからなる中央部（32、42）が便器内の水に接触するという問題がある。そのため、便器内の水は中央部のペーパー（32、42）を伝って徐々に本体（30、40）の方へ上昇し、さらに時間が経過すると、本体（30、40）までも便器内の水で浸され、たいへん不快で非衛生的な状態を引き起こす。
【０００８】
また、図４、図４ａのように、従来の使い捨て便座シートであると横の長さが縦の長さに比べて短いために、手で本体（30、40）の左右を掴んで便座（５）の上に載せる際に指が便座の表面に接触するおそれもあり、衛生上の問題が発生する。もしも、移動中に、バス、飛行機、列車などの移動手段に設置されたトイレを使用する必要が生じたならば、使用者が身体のバランスを保ったまま立っているのが難しいため、このような問題は一層起こり易くなる。
【０００９】
上記従来の製品は、老弱者、子ども、病弱者が使うのに、一層不便であるという問題を抱えている。
【特許文献１】特開平７−２３１８６２
【考案の開示】
【考案が解決しようとする課題】
【００１０】
本考案は、携帯が可能であり、用を足すときにいつでも簡便に使用することができ、また、より衛生的な使い捨て便座シートを提供しようとするものである。
【課題を解決するための手段】
【００１１】
本考案の携帯用使い捨て便座シートは、水中で離解または溶解するシート材からなり、矩形状の本体（10）と、この中央部に設けられた楕円状の穴（12）と、楕円状の穴（12）に左右方向に掛け渡されて、本体（10）の左右部分間を連結する少なくとも一つのブリッジ部（13）とからなり、矩形状の本体（10）は、左右方向寸法（ａ）が奥行き方向寸法（ｂ）よりも大きく、便座（５）に載せたとき、便座（５）の左右の縁から取っ手（11）（11ａ）が突き出すことを特徴とする。
【００１２】
好ましくは、本体（10）の裏面にて、上記穴（12）を左右から挟む箇所に、左右対称に、粘着剤コーテイング部（14）を設ける。また、好ましくは、上記のブリッジ部（13）の中央部に破断線を設ける。
【００１３】
また、本考案の携帯用使い捨て便座シート包装体は、上記携帯用使い捨て便座シートを、折り畳んでプラスチックフィルムの包装内に収納したことを特徴とする。
【考案の効果】
【００１４】
この考案は、左右方向（横）寸法（ａ）を奥行き方向（縦、前後方向）寸法（ｂ）よりも大きくし、かつ、穴（12）にブリッジ部（13）を設けることにより、従来の製品に比べて使いやすく安全であり、衛生的なものとなっている。そして、移動中に、バスや飛行機、列車などの移動手段に設置されたトイレにおいても安全に使用することができるだけでなく、老人、子供、病弱者を含め、また老若男女に関わらず、誰もが迅速かつ便利に使用することができる。
【考案を実施するための最良の形態】
【００１５】
本考案の第１の実施例の使い捨て便座シートは、紙のシート、水溶性フィルム、水溶性不織布といった、水中で容易に離解または溶解するシート（sheet）材からなり、からなり、矩形状の本体（10）と、この中央部に設けられた楕円状の穴（12）と、楕円状の穴（12）に左右方向に掛け渡されて、本体（10）の左右部分間を連結する少なくとも一つのブリッジ部（13）とからなる。矩形状の本体（10）は、左右方向寸法（ａ）が奥行き方向寸法（ｂ）よりも大きく、便座（５）に載せたとき、便座（５）の左右から取っ手（11）（11ａ）が突出する。また、本考案の第２の実施例の使い捨て便座シートは、第１実施例と同様のものにおいて、本体（10）の裏面にて、上記穴（12）を左右から挟む箇所に、左右対称に、粘着剤コーテイング部（14）を形成したものである。
【００１６】
上記の粘着剤コーテイング部（14）は、本体（10）が便座（５）の表面にて、ずれ動かずに、元の位置を維持する程度の粘着性を持たせれば良い。このとき、粘着剤コーテイング部（14）が色相を有するようにすれば、すなわち着色を施せば、さらに使用に便利である。
【００１７】
本体（10）を便座（５）の中央に置くときに左右から突出する突出寸法（L）、すなわち取っ手（11）（11ａ）の幅は、20ｍｍ〜300ｍｍとするのが好ましい。本実施例によると、突出寸法（L）は、50ｍｍ〜100ｍｍが適当であることが知られた。この取っ手（11）（11ａ）部分は本考案の重要な部分であるが、従来の使い捨て便座シートには使われていない技術である。本考案の取っ手（11）（11ａ）が左右（横）方向に長く延びているので、本体（10）を手で広げて便座（５）上に据え付けるのにたいへん便利である。また、移動中に、バスや飛行機、列車などの移動手段に設置されたトイレを使用する場合には特に便利になっている。
【００１８】
第１の実施例の使い捨て便座シートであると、取っ手（11）（11ａ）を掴んで本体（10）を左右に広げた後、便座（５）中央の穴と本考案の穴（12）が一致するようにして使用すれば良い。また、第２の実施例の使い捨て便座シートであると、取っ手（11）（11ａ）を掴んで本体（10）を左右に広げ、便座（５）中央の穴と本考案の穴（12）が一致するようにした後、取っ手（11）（11ａ）が地面に向かうようにちょっと押してやれば粘着剤コーテイング部（14）が便座（５）の表面に粘着される。そのため、この状態を安定に保つように便座シートが据え付けられることとなる。次に、使用者が便座（５）に座ると使用者の体重によって穴（12）に形成されたブリッジ部（13）が自然に破断して、用便の排出には支障をきたすことはない。
【００１９】
以上のように本考案の使い捨て便座シートを使用すると指が便座（５）に直接触れることがないので衛生的である。また、用便を済ましたあとに便座（５）の左右に延びている取っ手（11）（11ａ）を掴んで使い捨て便座シート全体を便座（５）から取り外すのも衛生的に行うことができる。すなわち、取っ手（11）（11ａ）は、用便の最中に使い捨て便座シートを使用する際にも、また、用便を済ましたあと使い捨て便座シートを便座（５）から取り外す際にも、いずれにおいても、衛生的で便利に、かつ、安全に使用できるようにするものである。したがって、老若者、病弱者、及び小児などであっても容易に使用することができる。
【００２０】
なお、実験の結果、穴（12）のブリッジ部（13）がない場合、上述したように取っ手（11）（11ａ）を掴んで広げたあと便座（５）上に据え付ける際、加えられる力によって穴（12）の形が歪んだり、または穴（12）の縁から破れたりしてしまう可能性があることが知られた。そこで、本考案のように穴（12）の箇所を左右方向に掛け渡すリッジ部（13）を、少なくとも一本設けるのが好ましいという結論を得たのである。ブリッジ部（13）の幅は、一本の場合20ｍｍ以下が好ましいが、幅を10ｍｍ以下にして２本にするなど、自由に変化させることができる。また、ブリッジ部（13）の中央に破断線（紙またはフィルムのミシン目、フィルムの溝部など、引張り力で容易に破断する箇所）を設けることにより、使い捨て便座シートを便座（５）上に載せてから座る際に、使用者の体重によって、より容易にブリッジ部（13）が破断するようにすることもできる。
【００２１】
一方、上述したように使用者の体重によるブリッジ部（13）の破断は、ブリッジ部（13）のほぼ中央部分で起きる。そのため、従来の製品と異なり垂れ下がる長さは短くなっている。そのため、中央部分で破断したブリッジ部（13）は、便器内の水と接触することがないので、便器内に溜まっている水によって濡れることがないことから、非衛生であるという感覚や不安感を生じさせることがない。
【００２２】
以上に説明したような本考案の使い捨て便座シートは、図３のように半折りにした後、再度半分に折り、さらにまた半分に折るというようにした上で、すなわち八つ折りにした上で、図５のように左右方向寸法が約10ｃｍ、奥行き寸法が約５ｃｍとなるように折り畳むことができ、この状態でプラスチックフィルムの包装（ビニール包装）（50）内に入れて携帯することができる。言うまでもなく、従来のようにトイレの壁に取り付けた箱の中に挿入して置き、１枚ずつ引き出して使用することも可能である。この場合には、より大きなサイズ（例えば、左右方向寸法30ｃｍ、奥行き寸法20ｃｍ）に折っておくこともできる。
【００２３】
一方、本考案の使い捨て便座シートの材質は、水によく溶ける、たいへん薄い紙や水溶性フィルムを使用するのが好ましい。また、本考案の使い捨て便座シートは、抗菌処理及び香料の添加を行って置くならば、さらに好ましいが、この際、香料添加を省いても良い。使い捨て便座シートの本体（10）は、種々の色相でもって作製するのが、より好ましいと思われる。また、使い捨て便座シートの本体（10）には、広告、または、公益性のあるピーアール文を印刷することもできる。
【図面の簡単な説明】
【００２４】
【図１】本考案の使い捨て便座シートを広げた状態にて示す参考斜視図。
【図２】本考案の使い捨て便座シートの使用状態を示す平面図。
【図３】本考案の使い捨て便座シートの本体が半分に折り畳まれた状態を示す参考図。
【図４】従来の使い捨て便座シートを示す参考図。
【図４ａ】他の、従来の使い捨て便座シートを示す参考図
【図５】本考案の使い捨て便座シートをビニール包装に入れた状態を示す参考図。
【符号の説明】
【００２５】
10：本体                        11，11a：取っ手
12：穴                          13：ブリッジ部
14：粘着剤コーテイング部        50：ビニール包装
【図１】
0003115806.tif 000003
【図２】
0003115806.tif 000004
【図３】
0003115806.tif 000005
【図４】
0003115806.tif 000006
【図４ａ】
0003115806.tif 000007
【図５】
0003115806.tif 000008